(57)【特許請求の範囲】
【請求項１】
酵素反応のための基質溶液が注入される基質溶液注入部と、
前記基質溶液注入部よりも下流に配置され、洗浄液が注入される洗浄液注入部と、
前記洗浄液注入部よりも下流に配置され、検査対象物質を含む検査液体が注入される検査液体注入部と、
前記検査液体注入部よりも下流に配置され、前記基質溶液注入部に注入された前記基質溶液と、前記洗浄液注入部に注入された前記洗浄液と、前記検査液体注入部に注入された前記検査液体とが流入する受け部と、
前記受け部よりも下流に配置され、抗原抗体反応のためのビーズが保持されるビーズ保持部と、
前記ビーズ保持部よりも下流に配置され、前記検査液体と前記ビーズとに反応した前記基質溶液を含む反応液が測定される測定部と、
前記測定部よりも下流に配置された廃液部と
を備え、
前記基質溶液注入部、前記洗浄液注入部、前記検査液体注入部、前記受け部、及び前記測定部は同じ形成方向に凹む形状であり、
前記受け部は、前記ビーズ保持部に繋がり、前記形成方向に並んだ複数の供給流路を備え、
前記複数の供給流路は、前記形成方向側の前記供給流路ほど、前記形成方向に対して大きな角度で延びることを特徴とする検査チップ。
【請求項２】
前記ビーズ保持部は、前記形成方向側に、前記測定部に繋がる取り出し流路を備え、
前記取り出し流路が延びる方向と前記形成方向とがなす第一角度は、前記複数の供給流路のうち、前記形成方向の反対方向側から２番目の前記供給流路が延びる方向と前記形成方向とがなす第二角度より小さいことを特徴とする請求項１に記載の検査チップ。
【請求項３】
前記検査液体注入部を形成する面のうち、前記受け部に繋がる流路を形成する形成面が延びる方向と前記形成方向とがなす第三角度は、前記複数の供給流路のうち、前記形成方向側から２番目の前記供給流路が延びる方向と前記形成方向とがなす第四角度より大きいことを特徴とする請求項２に記載の検査チップ。
【請求項４】
前記測定部を形成する面のうち、前記廃液部に繋がる流路を形成する廃液流路面が延びる方向と前記形成方向とがなす第五角度は、前記第一角度以下であることを特徴とする請求項２又は３に記載の検査チップ。
【請求項５】
前記受け部に対して前記供給流路側の反対側に設けられた余剰部と、
前記検査液体注入部と前記受け部との間に設けられ、前記受け部に繋がる面である第一案内面と、
前記受け部から前記余剰部側に延びる第二案内面と、
前記第一案内面における前記受け部側の第一端部と、
前記第二案内面における前記受け部側の第二端部と
を備え、
前記第二端部から前記第一端部に向かう方向と前記形成方向とがなす第六角度は、前記形成方向の反対方向側の１番目の前記供給流路が延びる方向と前記形成方向とがなす第七角度より大きいことを特徴とする請求項１から４のいずれかに記載の検査チップ。
【請求項６】
前記第一案内面と前記形成方向とがなす第八角度は、前記第七角度より小さいことを特徴とする請求項５に記載の検査チップ。
【請求項７】
前記複数の供給流路の夫々は、
前記形成方向側の第一供給壁面と、
前記形成方向の反対方向側の第二供給壁面と
を備え、
前記複数の供給流路のうち、前記形成方向の反対方向側からｎ番目の前記供給流路の前記第二供給壁面における上流側の入口端部から、前記形成方向の反対方向側からｎ−１番目の前記供給流路が延びる方向と平行に引いた入口仮想線は、ｎ番目の前記供給流路における前記第一供給壁面と交差することを特徴とする請求項１から６のいずれかに記載の検査チップ。
【請求項８】
前記第一供給壁面における下流側の出口端部に接続された出口壁面を備え、
前記出口壁面は、前記出口端部から前記供給流路が延びる方向と直交する方向に引いた出口仮想線よりも、前記受け部側に傾斜することを特徴とする請求項７に記載の検査チップ。
【請求項９】
前記形成方向の反対方向側からｎ番目の前記供給流路における前記第一供給壁面は、ｎ−１番目の前記供給流路における前記出口端部から引いた前記出口仮想線より前記受け部側に位置することを特徴とする請求項８に記載の検査チップ。
【請求項１０】
検査チップと、前記検査チップを所定の第一軸を中心に回転させることにより前記検査チップに遠心力を作用させ、且つ、前記第一軸とは異なる第二軸を中心に前記検査チップを回転させることにより前記遠心力の方向を変化させる検査装置とから構成される検査システムであって、
前記検査チップは、
酵素反応のための基質溶液が注入される基質溶液注入部と、
前記基質溶液注入部よりも下流に配置され、洗浄液が注入される洗浄液注入部と、
前記洗浄液注入部よりも下流に配置され、検査対象物質を含む検査液体が注入される検査液体注入部と、
前記検査液体注入部よりも下流に配置され、前記基質溶液注入部に注入された前記基質溶液と、前記洗浄液注入部に注入された前記洗浄液と、前記検査液体注入部に注入された前記検査液体とが流入する受け部と、
前記受け部よりも下流に配置され、抗原抗体反応のためのビーズが保持されるビーズ保持部と、
前記ビーズ保持部よりも下流に配置され、前記検査液体と前記ビーズとに反応した前記基質溶液を含む反応液が測定される測定部と、
前記測定部よりも下流に配置された廃液部と
を備え、
前記基質溶液注入部、前記洗浄液注入部、前記検査液体注入部、前記受け部、及び前記測定部は同じ形成方向に凹む形状であり、
前記受け部は、前記ビーズ保持部に繋がり、前記形成方向に並んだ複数の供給流路を備え、
前記複数の供給流路は、前記形成方向側の前記供給流路ほど、前記形成方向に対して大きな角度で延び、
前記検査装置は、
前記受け部から前記ビーズ保持部へ、前記複数の供給流路のいずれかを介して前記洗浄液を供給する場合に、前記形成方向に向けて前記検査チップに前記遠心力を作用させる第一動作と、前記形成方向とは異なる方向に向けて前記検査チップに前記遠心力を作用させる第二動作とを繰り返し実行する作用手段を備え、
前記作用手段は、ｎ回目の前記第二動作を行う場合に、前記遠心力を作用させる方向と前記形成方向とがなす角度が、前記形成方向の反対方向側からｎ番目の前記供給流路が延びる方向に垂直な方向と前記形成方向とがなす角度以上、且つ、ｎ＋１番目の前記供給流路が延びる方向に垂直な方向と前記形成方向とがなす角度より小さい範囲になる方向に、前記遠心力を作用させることを特徴とする検査システム。
【発明の詳細な説明】
【技術分野】
【０００１】
本発明は、ビーズを多段階洗浄する検査チップ及び検査システムに関する。
【背景技術】
【０００２】
従来、抗原抗体反応のためのビーズを備える検査チップが知られている。例えば、特許文献１に記載の分析チップは、複数の槽と、複数の槽の相互間を接続する微細流路とを備える流体回路を備えている。分析チップに遠心力が作用することにより、検体、試薬、及び洗浄液などの液体が流体回路内を移動する。分析チップを用いた検査工程には、ビーズを多段階洗浄する工程が含まれる。複数の槽のうちの第７槽には、ビーズが配置され、第１槽には、洗浄液が配置される。第１槽から第７槽に至る経路には、バッファ槽となる第２層、第３層、第９槽、及び第１０槽が設けられている。分析チップに遠心力が作用すると、洗浄液はバッファ槽を連続的に通過し、ビーズを保持する第７槽に供給される。このため、ビーズが洗浄される。分析チップへの遠心力の作用が停止されると、バッファ槽によって洗浄液が分断される。即ち、第７槽内のビーズの多段階洗浄は、遠心力の作用、及び作用の停止が繰り返し行われることで実行される。
【先行技術文献】
【特許文献】
【０００３】
【特許文献１】特開２０１３−５０４３５号公報
【発明の概要】
【発明が解決しようとする課題】
【０００４】
しかしながら、従来の分析チップでは、ビーズの多段階洗浄を行うために、遠心力の作用を停止する工程が検査工程に含まれる。遠心力の作用が停止された場合、各槽に保持された液体が拡散する可能性がある。液体が拡散すると、予期せぬタイミングで呈色などの反応が起こり、検査精度が低下する可能性がある。
【０００５】
本発明の目的は、検査精度が低下する可能性を低減する検査チップ、及び検査システムを提供することである。
【課題を解決するための手段】
【０００６】
本発明の第一の態様に係る検査チップは、酵素反応のための基質溶液が注入される基質溶液注入部と、前記基質溶液注入部よりも下流に配置され、洗浄液が注入される洗浄液注入部と、前記洗浄液注入部よりも下流に配置され、検査対象物質を含む検査液体が注入される検査液体注入部と、前記検査液体注入部よりも下流に配置され、前記基質溶液注入部に注入された前記基質溶液と、前記洗浄液注入部に注入された前記洗浄液と、前記検査液体注入部に注入された前記検査液体とが流入する受け部と、前記受け部よりも下流に配置され、抗原抗体反応のためのビーズが保持されるビーズ保持部と、前記ビーズ保持部よりも下流に配置され、前記検査液体と前記ビーズとに反応した前記基質溶液を含む反応液が測定される測定部と、前記測定部よりも下流に配置された廃液部とを備え、前記基質溶液注入部、前記洗浄液注入部、前記検査液体注入部、前記受け部、及び前記測定部は同じ形成方向に凹む形状であり、前記受け部は、前記ビーズ保持部に繋がり、前記形成方向に並んだ複数の供給流路を備え、前記複数の供給流路は、前記形成方向側の前記供給流路ほど、前記形成方向に対して大きな角度で延びる。
【０００７】
受け部には洗浄液が流入する。複数の供給流路は、形成方向側の供給流路ほど、形成方向に対して大きな角度で延びる。このため、検査チップに遠心力を作用させながら、形成方向と形成方向に垂直な垂直方向との間で振れ幅を次第に大きくすることで、形成方向側の反対方向側の供給流路から順番に洗浄液をビーズ保持部に供給することができる。よって、遠心力の作用を停止することなくビーズを多段階洗浄することができる。故に、遠心力の作用が停止されて試薬が拡散することがなく、検査精度が低下する可能性を低減できる。
【０００８】
前記検査チップにおいて、前記ビーズ保持部は、前記形成方向側に、前記測定部に繋がる取り出し流路を備え、前記取り出し流路が延びる方向と前記形成方向とがなす第一角度は、前記複数の供給流路のうち、前記形成方向の反対方向側から２番目の前記供給流路が延びる方向と前記形成方向とがなす第二角度より小さくてもよい。
【０００９】
前記検査チップにおいて、前記検査液体注入部を形成する面のうち、前記受け部に繋がる流路を形成する形成面が延びる方向と前記形成方向とがなす第三角度は、前記複数の供給流路のうち、前記形成方向側から２番目の前記供給流路が延びる方向と前記形成方向とがなす第四角度より大きくてもよい。
【００１０】
前記検査チップにおいて、前記測定部を形成する面のうち、前記廃液部に繋がる流路を形成する廃液流路面が延びる方向と前記形成方向とがなす第五角度は、前記第一角度以下であってもよい。
【００１１】
前記検査チップは、前記受け部に対して前記供給流路側の反対側に設けられた余剰部と、前記検査液体注入部と前記受け部との間に設けられ、前記受け部に繋がる面である第一案内面と、前記受け部から前記余剰部側に延びる第二案内面と、前記第一案内面における前記受け部側の第一端部と、前記第二案内面における前記受け部側の第二端部とを備え、前記第二端部から前記第一端部に向かう方向と前記形成方向とがなす第六角度は、前記形成方向の反対方向側の１番目の前記供給流路が延びる方向と前記形成方向とがなす第七角度より大きくてもよい。
【００１２】
前記検査チップにおいて、前記第一案内面と前記形成方向とがなす第八角度は、前記第七角度より小さくてもよい。
【００１３】
前記検査チップにおいて、前記複数の供給流路の夫々は、前記形成方向側の第一供給壁面と、前記形成方向の反対方向側の第二供給壁面とを備え、前記複数の供給流路のうち、前記形成方向の反対方向側からｎ番目の前記供給流路の前記第二供給壁面における上流側の入口端部から、前記形成方向の反対方向側からｎ−１番目の前記供給流路が延びる方向と平行に引いた入口仮想線は、ｎ番目の前記供給流路における前記第一供給壁面と交差してもよい。
【００１４】
前記検査チップは、前記第一供給壁面における下流側の出口端部に接続された出口壁面を備え、前記出口壁面は、前記出口端部から前記供給流路が延びる方向と直交する方向に引いた出口仮想線よりも、前記受け部側に傾斜してもよい。
【００１５】
前記検査チップにおいて、前記形成方向の反対方向側からｎ番目の前記供給流路における前記第一供給壁面は、ｎ−１番目の前記供給流路における前記出口端部から引いた前記出口仮想線より前記受け部側に位置してもよい。
【００１６】
本発明の第二の態様に係る検査システムは、検査チップと、前記検査チップを所定の第一軸を中心に回転させることにより前記検査チップに遠心力を作用させ、且つ、前記第一軸とは異なる第二軸を中心に前記検査チップを回転させることにより前記遠心力の方向を変化させる検査装置とから構成される検査システムであって、前記検査チップは、酵素反応のための基質溶液が注入される基質溶液注入部と、前記基質溶液注入部よりも下流に配置され、洗浄液が注入される洗浄液注入部と、前記洗浄液注入部よりも下流に配置され、検査対象物質を含む検査液体が注入される検査液体注入部と、前記検査液体注入部よりも下流に配置され、前記基質溶液注入部に注入された前記基質溶液と、前記洗浄液注入部に注入された前記洗浄液と、前記検査液体注入部に注入された前記検査液体とが流入する受け部と、前記受け部よりも下流に配置され、抗原抗体反応のためのビーズが保持されるビーズ保持部と、前記ビーズ保持部よりも下流に配置され、前記検査液体と前記ビーズとに反応した前記基質溶液を含む反応液が測定される測定部と、前記測定部よりも下流に配置された廃液部とを備え、前記基質溶液注入部、前記洗浄液注入部、前記検査液体注入部、前記受け部、及び前記測定部は同じ形成方向に凹む形状であり、前記受け部は、前記ビーズ保持部に繋がり、前記形成方向に並んだ複数の供給流路を備え、前記複数の供給流路は、前記形成方向側の前記供給流路ほど、前記形成方向に対して大きな角度で延び、前記検査装置は、前記受け部から前記ビーズ保持部へ、前記複数の供給流路のいずれかを介して前記洗浄液を供給する場合に、前記形成方向に向けて前記検査チップに前記遠心力を作用させる第一動作と、前記形成方向とは異なる方向に向けて前記検査チップに前記遠心力を作用させる第二動作とを繰り返し実行する作用手段を備え、前記作用手段は、ｎ回目の前記第二動作を行う場合に、前記遠心力を作用させる方向と前記形成方向とがなす角度が、前記形成方向の反対方向側からｎ番目の前記供給流路が延びる方向に垂直な方向と前記形成方向とがなす角度以上、且つ、ｎ＋１番目の前記供給流路が延びる方向に垂直な方向と前記形成方向とがなす角度より小さい範囲になる方向に、前記遠心力を作用させる。
【００１７】
この場合、受け部には洗浄液が流入する。複数の供給流路は、形成方向側の供給流路ほど、形成方向に対して大きな角度で延びる。検査装置の作用手段は、第一動作と第二動作を繰り返し、洗浄液を供給流路からビーズ保持部に流出させる。このとき、作用手段は、ｎ回目の第二動作を行う場合に、遠心力を作用させる方向と前記形成方向とがなす角度が、形成方向の反対方向側からｎ番目の供給流路が延びる方向に垂直な方向と形成方向とがなす角度以上、且つ、ｎ＋１番目の供給流路が延びる方向に垂直な方向と形成方向とがなす角度より小さい範囲になる方向に、遠心力を作用させる。このため、形成方向側の反対方向側の供給流路から順番に洗浄液をビーズ保持部に供給することができる。よって、遠心力の作用を停止することなくビーズを多段階洗浄することができる。故に、遠心力の作用が停止されて試薬が拡散することがなく、検査精度が低下する可能性を低減できる
【図面の簡単な説明】
【００１８】
【図１】検査装置１及び制御装置９０を含む検査システム３の構成を示す図である。
【図２】検査チップ２の正面図である。
【図３】検査チップ２の要部拡大図である。
【図４】遠心処理のフローチャートである。
【図５】遠心処理における検査チップ２の状態遷移図である。
【図６】図５の続きの状態遷移図である。
【図７】図６の続きの状態遷移図である。
【図８】図７の続きの状態遷移図である。
【図９】洗浄液９３が受け部２０に流入する状態を示す検査チップ２の要部拡大図である。
【図１０】洗浄液９３が供給流路２１から流れる状態を示す検査チップ２の要部拡大図である。
【図１１】洗浄液９３１が取り出し流路４１２から流れる状態を示す検査チップ２の要部拡大図である。
【図１２】洗浄液９３が供給流路２２から流れる状態を示す検査チップ２の要部拡大図である。
【図１３】洗浄液９３が供給流路２３から流れる状態を示す検査チップ２の要部拡大図である。
【図１４】洗浄液９３が供給流路２４から流れる状態を示す検査チップ２の要部拡大図である。
【発明を実施するための形態】
【００１９】
本発明を具体化した実施形態について、図面を参照して説明する。尚、図１は、検査システム３を構成する検査装置１の平面及び制御装置９０の内部の機能ブロックを示している。
【００２０】
＜１．検査システム３の概略構造＞
図１を参照して、検査システム３の概略構造について説明する。本実施形態の検査システム３は、液体である試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００２１】
＜２．検査装置１の構造＞
図１を参照して、検査装置１の構造について説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。尚、図１は検査装置１の上部筐体３０の天板が取り除かれた状態を示す。
【００２２】
図１に示すように、検査装置１は、上部筐体３０、下部筐体２９、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２３】
下部筐体２９の概略構造を説明する。下部筐体２９は、枠部材を組み合わせた箱状のフレーム構造を有する。下部筐体２９の上面には、長方形の板材である上板３２が設けられている。下部筐体２９の内部には、垂直軸線Ａ１を中心にターンテーブル３３を回転させる駆動機構が、次のように設けられている。
【００２４】
下部筐体２９内の左方寄りに、ターンテーブル３３を回転させるための駆動力を供給する主軸モータ３５が設置されている。主軸モータ３５の軸３６は、上方に突出しており、プーリ３７が固定されている。下部筐体２９の中央部には、下部筐体２９の内部から上方に延びる垂直な主軸５７が設けられている。主軸５７は、上板３２を貫通して、下部筐体２９の上側に突出している。主軸５７の上端部は、ターンテーブル３３の中央部に接続されている。
【００２５】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２６】
下部筐体２９内の右方寄りに、下部筐体２９の内部において上下方向に延びる図示しないガイドレールが設けられている。図示しないＴ型プレートは、ガイドレールに沿って下部筐体２９内において上下方向に移動可能である。
【００２７】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２８】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２９】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００３０】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００３１】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００３２】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００３３】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３４】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３５】
＜３．制御装置９０の電気的構成＞
図１を参照して、制御装置９０の電気的構成について説明する。制御装置９０は、検査装置１の主制御を司るＣＰＵ１０１と、各種データを一時的に記憶するＲＡＭ１０２と、制御プログラムを記憶したＲＯＭ１０３とを有する。ＣＰＵ１０１には、ユーザが制御装置９０に対する指示を入力するための操作部１０４と、各種データ、及びプログラムを記憶するハードディスク装置１０５と、各種情報を表示するディスプレイ１０６とが接続されている。制御装置９０としては、パーソナルコンピュータを用いてもよいし、専用の制御装置を用いてもよい。
【００３６】
さらに、ＣＰＵ１０１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ１０１が公転コントローラ９７、自転コントローラ９８及び測定コントローラ９９を制御する。
【００３７】
＜４．検査チップ２の構造＞
図２及び図３を参照して、本実施形態に係る検査チップ２の詳細構造を説明する。以下の説明では、図２の上方、下方、左方、右方、紙面手前側、及び紙面奥側を、それぞれ、検査チップ２の上方、下方、左方、右方、前方、及び後方とする。本実施形態では、検査チップ２が使用され、ＥＬＩＳＡ法によって検査が行われる。ＥＬＩＳＡは、Ｅｎｚｙｍｅ−ｌｉｎｋｅｄ  ｉｍｍｕｎｏｓｏｒｂｅｎｔ  ａｓｓａｙの略である。
【００３８】
図２に示すように、検査チップ２は一例として前方から見た場合に上辺部８１、下辺部８４、右辺部８２、及び左辺部８３を有する正方形状であり、所定の厚みを有する透明な合成樹脂の板材１９を主体とする。図２に示すように、板材１９の前面２０３は、透明の合成樹脂の薄板から構成されたシート２９１によって封止されている。板材１９とシート２９１との間には、検査チップ２に封入された液体が流動可能な液体流路２５が形成されている。液体流路２５は、板材１９の前面２０３に所定深さに形成された凹部であり、板材１９の厚み方向である前後方向と直交する方向に延びる。シート２９１は、板材１９の流路形成面を封止する。シート２９１は、図２以外では図示を省略している。
【００３９】
液体流路２５は、４つの測定流路２５１〜２５４を含む。測定流路２５１〜２５４は、夫々、左から右方向に並んで設けられている。測定流路２５１〜２５４は、互いに同じ流路を有するので、以下の説明では、測定流路２５１について説明する。
【００４０】
測定流路２５１は、反応停止液注入部３１０、基質溶液注入部３３０、洗浄液注入部３５０、検査液体注入部３７０、受け部２０、余剰部３９０、ビーズ保持部４１０、取り出し流路４１２、測定部４３０、廃液部４４０、及び供給部３２０，３４０，３６０，３８０，４００，４２０等を含む。反応停止液注入部３１０、基質溶液注入部３３０、洗浄液注入部３５０、検査液体注入部３７０、ビーズ保持部４１０、及び測定部４３０は、互いに同じ方向である下方向に凹んで形成されている。以下の説明では、反応停止液注入部３１０、基質溶液注入部３３０、洗浄液注入部３５０、検査液体注入部３７０、受け部２０、ビーズ保持部４１０、及び測定部４３０が凹む方向である下方向を、形成方向という場合がある。また、上方向を、形成方向の反対方向という場合がある。
【００４１】
反応停止液注入部３１０、基質溶液注入部３３０、洗浄液注入部３５０、検査液体注入部３７０、及びビーズ保持部４１０は、夫々、反応停止液９１、基質溶液９２、洗浄液９３、検査液体９４、及びビーズ分散液９５が貯留される部位である。ビーズ分散液９５は、抗原抗体反応のためのビーズ３１を含む液体である。ビーズ３１は、球状であり、表面に固相化された抗体を有する。本実施形態では、一例として、ビーズ３１は直径１００μｍのポリスチレンビーズであるとする。検査液体９４は、例えば、血液、血漿、血球、骨髄、尿、膣組織、上皮組織、腫瘍、精液、唾液、又は食料品などの成分を含む液体である。また、検査液体９４は、酵素標識抗体を含む。酵素標識抗体は、検査対象の物質とビーズ３１の抗体との結合体に特異的に結合する、酵素で標識された抗体である。検査液体９４が、ビーズ３１に接触すると、ビーズ３１に固相化された抗体に、検査液体９４に含まれる検査対象の物質が結合し、さらに、検査対象の物質とビーズ３１の抗体との結合体に酵素標識抗体が特異的に結合する。
【００４２】
洗浄液９３は、ビーズ３１を洗浄する液体であり、ビーズ３１の抗体に結合していない検査液体９４の成分を除去する。詳細は後述するが、本実施形態では、洗浄液９３によって複数回洗浄を行う多段階洗浄が実行される。基質溶液９２は、洗浄液９３によって洗浄された後のビーズ３１に接触し、酵素標識抗体と酵素反応する液体である。反応停止液９１は、基質溶液９２と混合される液体であり、酵素反応が進行するのを停止する液体である。本実施形態では、後述する光学測定において、基質溶液９２が酵素反応することによって生じる蛍光物質又は呈色物質を検出して、検査対象の物質を測定することができる。以下の説明では、反応停止液９１、基質溶液９２、洗浄液９３、検査液体９４、及びビーズ分散液９５を総称する場合、又は、いずれかを特定しない場合、試薬９という。
【００４３】
反応停止液注入部３１０は、検査チップ２の左上部に設けられている。反応停止液注入部３１０は、上方に開口する凹部である。供給部３２０は、反応停止液注入部３１０の右上部分から下方向に延びる流路である。供給部３２０の左下部は、基質溶液注入部３３０に繋がっている。即ち、基質溶液注入部３３０は、反応停止液注入部３１０よりも下流に配置されている。
【００４４】
基質溶液注入部３３０は、上方に開口する凹部である。供給部３４０は、基質溶液注入部３３０の右上部分から下方向に延びる流路である。供給部３４０の左下部は、洗浄液注入部３５０に繋がっている。即ち、洗浄液注入部３５０は、基質溶液注入部３３０よりも下流に配置されている。
【００４５】
洗浄液注入部３５０は、上方に開口する凹部である。洗浄液注入部３５０を形成する面のうち、後述する検査液体注入部３７０に繋がる面を形成面３５１という。供給部３６０は、洗浄液注入部３５０の右上部分から下方向に延びる流路である。供給部３６０の左下部は、検査液体注入部３７０に繋がっている。即ち、検査液体注入部３７０は、洗浄液注入部３５０よりも下流に配置されている。
【００４６】
検査液体注入部３７０は、上方に開口する凹部である。検査液体注入部３７０を形成する面のうち、後述する受け部２０に繋がる面を形成面３７１という。供給部３８０は、検査液体注入部３７０の右上部分から下方向に延びる流路である。供給部３８０の左下部は、受け部２０に繋がっている。即ち、受け部２０は、検査液体注入部３７０よりも下流に配置されている。
【００４７】
受け部２０は、反応停止液９１、基質溶液９２、洗浄液９３、及び検査液体９４が流入する部位である。受け部２０は、貯留部２０１とｎ個の供給流路２００を備えている。尚、ｎは、２以上の自然数であり、供給流路２００は複数設けられている。本実施形態では、ｎは４であるとし、夫々の供給流路２００を供給流路２１〜２４という。貯留部２０１は、上方に開口し、右下方に凹む凹部である。供給流路２１〜２４は、形成方向の反対方向側から、形成方向に順番に並んでおり、右上方に延びる。供給流路２１〜２４は、後述する供給部４００を介して後述するビーズ保持部４１０に繋がる。
【００４８】
図３に示すように、供給流路２１〜２４の夫々が延びる方向と形成方向とがなす角度を、夫々、角度Ｒ１〜Ｒ４とする。供給流路２１〜２４は、形成方向側の供給流路ほど、形成方向に対して大きな角度で延びる。即ち、角度Ｒ１＜角度Ｒ２＜角度Ｒ３＜角度Ｒ４の関係が成り立つ。本実施形態では、一例として、角度Ｒ１〜Ｒ４は、夫々、１３５度、１５０度、１６０度、及び１７０度であるとする。また、検査液体注入部３７０の形成面３７１と形成方向とがなす角度Ｒ２０は、複数の供給流路２１〜２４のうち、形成方向側から２番目の供給流路２３が延びる方向と形成方向とがなす角度Ｒ３より大きい。本実施形態では、一例として、角度Ｒ２０は、角度Ｒ４と同じ１７０度であるとする。また、洗浄液注入部３５０の形成面３５１と形成方向とがなす図２に示す角度Ｒ４１は、角度Ｒ３より大きい。本実施形態では、一例として、角度Ｒ４１は、角度Ｒ４と同じ１７０度であるとする。
【００４９】
図２及び図３に示すように、余剰部３９０は、受け部２０に対して供給流路２１〜２４側の反対側である左側に設けられている。余剰部３９０は、受け部２０から溢れた余剰の試薬９が貯留される部位である。
【００５０】
図３に示すように、供給部３８０から受け部２０に繋がる面を第一案内面４１という。第一案内面４１は、検査液体注入部３７０と受け部２０との間に位置している。第一案内面４１における受け部２０側の端部を第一端部４１１という。
【００５１】
受け部２０の上部から余剰部３９０側に延びる面を第二案内面４２という。第二案内面４２は、受け部２０の上部から左下方に延びる。第二案内面４２における受け部２０側の端部を第二端部４２１という。第二端部４２１から第一端部４１１に向かう方向と形成方向とがなす角度を角度Ｒ２１という。第一案内面４１と形成方向とがなす角度を角度Ｒ２２という。角度Ｒ２１は、形成方向の反対方向側の１番目の供給流路２１が延びる方向と形成方向とがなす角度Ｒ１より大きい。また、角度Ｒ２２は角度Ｒ１より小さい。
【００５２】
図２に示すように、供給部４００は、供給流路２１〜２４の右部から、下方向に延びる流路である。供給部４００の左下部は、ビーズ保持部４１０に繋がっている。即ち、ビーズ保持部４１０は、受け部２０よりも下流に設けられている。ビーズ保持部４１０は、上方に開口を有する凹部である。ビーズ保持部４１０は、複数のビーズ３１を保持する部位である。ビーズ３１は、ビーズ分散液９５に含まれる。
【００５３】
ビーズ保持部４１０は、形成方向側の端部に、流路が狭く形成された取り出し流路４１２を備えている。取り出し流路４１２は、右上方に延びる。取り出し流路４１２は、ビーズ３１の直径である１００μｍ以下の流路幅を有する。取り出し流路４１２は、後述する供給部４２０を介して後述する測定部４３０に繋がる。取り出し流路４１２が延びる方向と形成方向とがなす角度を角度Ｒ２３という。角度Ｒ２３は、複数の供給流路２１〜２４のうち、形成方向の反対方向側から２番目の供給流路２２が延びる方向と形成方向とがなす角度Ｒ２より小さい。
【００５４】
供給部４２０は、取り出し流路４１２の右上部から下方向に延びる流路である。供給部４２０の左下部は、測定部４３０に繋がっている。即ち、測定部４３０は、ビーズ保持部４１０よりも下流に配置されている。測定部４３０は、上方に開口する凹部である。後述する光学測定が行われる際には、測定部４３０に測定光が透過され、図８（Ｓ）に示す後述する測定溶液９２１が測定される。
【００５５】
測定部４３０の右上部は、廃液部４４０に繋がっている。即ち、廃液部４４０は、測定部４３０よりも下流に配置されている。廃液部４４０は、測定部４３０において測定されない試薬９が測定部４３０から廃液される部位である。
【００５６】
測定部４３０を形成する面の内、廃液部４４０に繋がる流路を形成する面を廃液流路面４３１という。廃液流路面４３１は右上方向に延びる。廃液流路面４３１が延びる方向と形成方向とがなす角度Ｒ２４は、図２に示す角度Ｒ２３より大きい。
【００５７】
供給流路２１〜２４について詳述する。図３に示すように、供給流路２１〜２４における形成方向側の面を、夫々、第一供給壁面２１１，２２１，２３１，２４１という。供給流路２１〜２４における形成方向の反対方向側である上側の面を第二供給壁面２１２，２２２，２３２，２４２という。第一供給壁面２１１，２２１，２３１，２４１における下流側の端部を、夫々、出口端部２１５，２２５，２３５，２４５という。
【００５８】
出口端部２１５，２２５，２３５，２４５には、夫々、出口壁面２１４，２２４，２３４，２４４が接続されている。出口壁面２１４，２２４，２３４，２４４は、夫々、右斜め下方に延びる。出口端部２１５，２２５，２３５，２４５から、供給流路２１，２２，２３，２４が延びる方向と直交する方向に引いた仮想線を、夫々、出口仮想線２１９，２２９，２３９，２４９という。出口壁面２１４，２２４，２３４，２４４は、夫々、出口仮想線２１９，２２９，２３９，２４９よりも、受け部２０側である左側に傾斜している。
【００５９】
形成方向の反対方向側からｎ番目の供給流路２２〜２４における第一供給壁面２２１，２３１，２４１は、ｎ−１番目の供給流路２１〜２３における出口端部２１５，２２５，２３５から引いた出口仮想線２１９，２２９，２３９より受け部２０側にある。このため、第一供給壁面２２１は出口仮想線２１９より左側にある。第一供給壁面２３１は、出口仮想線２２９より左側にある。第一供給壁面２４１は、出口仮想線２３９より左側にある。
【００６０】
第二供給壁面２１２，２２２，２３２，２４２における上流側の端部を、夫々、入口端部２１３，２２３，２３３，２４３という。また、形成方向の反対方向側からｎ番目の供給流路２００における入口端部２２３，２３３，２４３から、ｎ−１番目の供給流路２１〜２３が延びる方向と平行に引いた仮想線を、入口仮想線２２８，２３８，２４８という。即ち、入口仮想線２２８は、供給流路２１が延びる方向と平行である。入口仮想線２３８は、供給流路２２が延びる方向と平行である。入口仮想線２４８は、供給流路２３が延びる方向と平行である。入口仮想線２２８，２３８，２４８は、夫々、形成方向の反対方向側からｎ番目の第一供給壁面２２１，２３１，２４１と交差する。
【００６１】
＜５．検査チップ２のその他構造＞
図１に示すように、Ｌ型プレート６０から延びる支軸４６は、図示外の装着用ホルダを介して板材１９の後面中央に垂直に連結される。支軸４６の回転に伴って、検査チップ２が支軸４６を中心に自転する。検査チップ２は図２に示す定常状態である場合、上辺部８１及び下辺部８４が重力Ｇの方向と直交し、右辺部８２及び左辺部８３が重力Ｇの方向と平行、且つ、左辺部８３が右辺部８２よりも主軸５７側に配置される。定常状態の検査チップ２が測定位置に配置されている状態において、光源７１と光センサ７２とを結ぶ測定光を測定部４３０に通過させることで、検査装置１は光学測定による検査を行う。
【００６２】
＜６．検査方法の一例＞
検査装置１及び検査チップ２を用いた検査方法について説明する。図２に示すように、測定流路２５１〜２５４の反応停止液注入部３１０に、反応停止液９１が注入される。測定流路２５１〜２５４の基質溶液注入部３３０に、基質溶液９２が注入される。測定流路２５１〜２５４の洗浄液注入部３５０に、洗浄液９３が注入される。測定流路２５１の検査液体注入部３７０に、検査液体９４が注入される。測定流路２５２〜２５４の検査液体注入部３７０に、夫々、基準検査液体９４１〜９４３が注入される。基準検査液体９４１〜９４３は、検査液体９４を用いた測定データと比較する測定データを得るための検査液体である。後述する光学測定においては、検査液体９４が使用された後述する測定溶液９２１の測定データと、基準検査液体９４１〜９４３が使用された測定溶液９２１の測定データとが比較されて、測定結果が算出される。
【００６３】
試薬９の配置方法は限定されない。例えば、シート２９１における反応停止液注入部３１０、基質溶液注入部３３０、洗浄液注入部３５０、及び検査液体注入部３７０に対応する位置に穴が開いており、ユーザが穴から試薬９を注入し、さらにシールをして封止してもよい。また、予め試薬９が反応停止液注入部３１０、基質溶液注入部３３０、洗浄液注入部３５０、及び検査液体注入部３７０に配置されて、シート２９１によって封止されていてもよい。この場合、シート２９１における測定流路２５１の検査液体注入部３７０に対応する位置に穴が開いており、ユーザが穴から検査液体９４を注入し、さらにシールをして封止してもよい。また、測定流路２５１の検査液体注入部３７０の左側の壁部に孔が開いており、孔から検査液体９４を注入し、孔にシールをして封止してもよい。
【００６４】
ユーザは検査チップ２を図示外の装着用ホルダに取り付けて、操作部１０４から処理開始のコマンドを入力する。これによって、ＣＰＵ１０１は、ＲＯＭ１０３に記憶されている制御プログラムに基づいて、図４に示す遠心処理を実行する。尚、検査装置１は二つの検査チップ２を同時に検査可能であるが、以下では説明の便宜のため、一つの検査チップ２を検査する手順を説明する。また、測定流路２５１〜２５４における試薬９の流れは同じであるので、図５〜図８においては、測定流路２５１のみを図示している。また、図２及び図５（Ａ）に示す検査チップ２の定常状態を自転角度０度といい、定常状態から９０度反時計回りに回転した状態を自転角度９０度という。尚、以下の説明においてＣＰＵ１０１が検査チップ２を自転角度０度、４０度、４５度、６０度、又は７０度から、９０度に回転させる場合、検査チップ２は、前方から見て反時計回りに回転する。また、ＣＰＵ１０１が検査チップ２を自転角度９０度から、０度、４０度、４５度、６０度、又は７０度に回転させる場合、検査チップ２は、前方から見て時計回りに回転する。
【００６５】
図４に示すように、ＣＰＵ１０１は、ＨＤＤ１０５に予め記憶されているモータの駆動情報を読み込み、公転コントローラ９７に主軸モータ３５の駆動情報をセットし、自転コントローラ９８にステッピングモータ５１の駆動情報をセットする（Ｓ１）。このとき、検査チップ２は図２及び図５（Ａ）に示すように、定常状態であり自転角度０度である。次いで、図１に示すＣＰＵ１０１が公転コントローラ９７を制御し、主軸モータ３５の駆動を開始する（Ｓ２）。この結果、自転角度が０度の検査チップ２が公転する。主軸モータ３５は、公転コントローラ９７の指示に基づき、ターンテーブル３３の回転速度を速度Ｖに上げる。速度Ｖは、例えば３０００ｒｐｍである。この速度Ｖでターンテーブル３３が回転されると、検査チップ２に、数百Ｇほどの遠心力Ｘが作用する。
【００６６】
ＣＰＵ１０１は主軸モータ３５の回転速度を速度Ｖに保持する（Ｓ３）。図５（Ｂ）に示すように、左辺部８３から図２に示す右辺部８２に向けて、検査チップ２に遠心力Ｘが作用する。遠心力Ｘの作用によって、反応停止液９１、基質溶液９２、洗浄液９３、及び検査液体９４は、夫々、反応停止液注入部３１０、基質溶液注入部３３０、洗浄液注入部３５０、及び検査液体注入部３７０から供給部３２０，３４０，３６０，３８０に移動する。また、ビーズ分散液９５のうち、ビーズ３１以外の液体をビーズ分散液９５１という。ビーズ分散液９５１は、ビーズ保持部４１０から取り出し流路４１２を介して供給部４２０に移動する。取り出し流路４１２の流路幅は、ビーズ３１の直径である１００μｍ以下であるので、ビーズ３１はビーズ保持部４１０に残る。尚、以下の説明では、ターンテーブル３３の回転速度は速度Ｖで一定であるとするが、速度Ｖの値が遠心処理の途中で変更されてもよい。
【００６７】
次いで、ＣＰＵ１０１は自転コントローラ９８を制御してステッピングモータ５１を駆動制御し、図５（Ｃ）に示すように、自転角度９０度まで検査チップ２を回転させる（Ｓ４）。この結果、上辺部８１から下辺部８４に向けて、検査チップ２に遠心力Ｘが作用する。遠心力Ｘの作用によって、反応停止液９１、基質溶液９２、及び洗浄液９３は、夫々、供給部３２０，３４０，３６０から、基質溶液注入部３３０、洗浄液注入部３５０、及び検査液体注入部３７０に移動する。また、検査液体９４は、供給部３８０から受け部２０に移動する。ビーズ分散液９５１は、供給部４２０から測定部４３０に移動する。
【００６８】
次いで、ＣＰＵ１０１は自転コントローラ９８を制御してステッピングモータ５１を駆動制御し、図５（Ｄ）に示すように、自転角度０度まで検査チップ２を回転させる（Ｓ５）。この結果、左辺部８３から、図２に示す右辺部８２に向けて、検査チップ２に遠心力Ｘが作用する。遠心力Ｘの作用によって、反応停止液９１、基質溶液９２、及び洗浄液９３は、夫々、基質溶液注入部３３０、洗浄液注入部３５０、及び検査液体注入部３７０から、供給部３４０，３６０，３８０に移動する。また、検査液体９４は、供給流路２００を介して、供給部４００に移動する。ビーズ分散液９５１は、測定部４３０から廃液部４４０に移動する。
【００６９】
次いで、ＣＰＵ１０１は自転コントローラ９８を制御してステッピングモータ５１を駆動制御し、図５（Ｅ）に示すように、自転角度９０度まで検査チップ２を回転させる（Ｓ６）。図９に示すように、ＣＰＵ１０１が検査チップ２を自転角度９０度まで回転させる過程において、遠心力Ｘが第一案内面４１に垂直に作用した場合に、洗浄液９３が受け部２０に流入する。角度Ｒ２２が角度Ｒ１〜Ｒ４より小さいので、洗浄液９３が受け部２０に流入する時に、洗浄液９３が供給流路２１〜２４を通って供給部４００に流出し難い。
【００７０】
図５（Ｅ）に示すように、検査チップ２が自転角度９０度まで回転すると、上辺部８１から下辺部８４に向けて、検査チップ２に遠心力Ｘが作用する。遠心力Ｘの作用によって、反応停止液９１及び基質溶液９２は、夫々、供給部３４０，３６０から、洗浄液注入部３５０及び検査液体注入部３７０に移動する。洗浄液９３は、受け部２０に移動する。受け部２０から溢れた洗浄液９３は、第二案内面４２を通って余剰部３９０に移動する。検査液体９４は、ビーズ保持部４１０に移動する。検査液体９４がビーズ３１に接触すると、ビーズ３１に固相化された抗体に、検査液体９４に含まれる検査対象の物質が結合し、さらに、検査対象の物質とビーズ３１の抗体との結合体に酵素標識抗体が特異的に結合する。
【００７１】
ＣＰＵ１０１は複数の供給流路２１〜２４のいずれかを介して受け部２０からビーズ保持部４１０に洗浄液９３を複数回供給し、ビーズ３１を多段階に洗浄する。ＣＰＵ１０１は、第一動作と第二動作とを繰り返し実行することで、洗浄液９３を多段階にビーズ保持部４１０に供給する。第一動作は、形成方向に向けて検査チップ２に遠心力Ｘを作用させる動作である。第二動作は、形成方向とは異なる方向に向けて検査チップ２に遠心力Ｘを作用させる動作である。ＣＰＵ１０１は、ｎ回目の第二動作を行う場合に、遠心力Ｘを作用させる方向と形成方向とがなす角度が、ｎ番目の供給流路２００が延びる方向に垂直な方向と形成方向とがなす角度以上、且つ、ｎ＋１番目の供給流路２００が延びる方向に垂直な方向と形成方向とがなす角度より小さい範囲になる方向に、遠心力Ｘを作用させる。本実施形態では、一例として、第二動作は、供給流路２００が延びる方向に垂直な方向に遠心力を作用させる動作であるとする。また、ＣＰＵ１０１は、ｎ回目の第二動作を行う場合に、形成方向の反対方向側からｎ番目の供給流路２００が延びる方向に垂直な方向に遠心力を作用させるとする。
【００７２】
ＣＰＵ１０１は自転コントローラ９８を制御してステッピングモータ５１を駆動制御し、図６（Ｆ）及び図１０に示すように、自転角度４５度まで検査チップ２を回転させる１回目の第二動作を行う（Ｓ７）。この結果、形成方向の反対方向側から１番目の供給流路２１が延びる方向に垂直な方向に遠心力Ｘが作用する。図１０に示すように、遠心力Ｘの作用によって、洗浄液９３が供給流路２１から供給部４００に流れる。このとき、洗浄液９３は出口仮想線２１９に沿って流れる。出口壁面２１４は出口仮想線２１９よりも受け部２０側である左側に傾斜している。このため、出口壁面２１４が出口仮想線２１９よりも受け部２０側とは反対側の右側に傾斜している場合に比べて、供給流路２１からビーズ保持部４１０側に流れる洗浄液９３が、出口壁面２１４を伝い難い。
【００７３】
また、第一供給壁面２２１は、出口仮想線２１９より受け部２０側である左側に位置する。このため、第一供給壁面２２１が、出口仮想線２１９と交差する場合に比べて、出口仮想線２１９に沿って流れる洗浄液９３が、第一供給壁面２２１に当たり難い。また、形成方向の反対方向側から２番目の供給流路２２に流入する洗浄液９３の液面９３Ａは、入口仮想線２２８に沿って第一供給壁面２２１と交差する。このため、供給流路２２から供給部４００に洗浄液９３が流れ難い。また、供給流路２３，２４に流入する洗浄液９３の液面も、第一供給壁面２３１，２４１と交差するので、供給流路２３，２４から供給部４００に洗浄液９３が流れ難い。
【００７４】
図３に示す角度Ｒ２０及び図２に示す角度Ｒ４１は、図３に示す角度Ｒ１より大きい。このため、図６（Ｆ）に示すように、検査チップ２が自転角度４５度まで回転し、供給流路２１が延びる方向に垂直な方向に遠心力Ｘが作用しても、反応停止液９１及び基質溶液９２は、夫々、洗浄液注入部３５０及び検査液体注入部３７０に保持される。また、検査液体９４は、取り出し流路４１２を通って、供給部４２０に移動する。また、受け部２０には、一部が供給流路２１から供給部４００に移動した後の洗浄液９３が残る。以下の説明では、供給流路２１から供給部４００に移動した洗浄液９３を、洗浄液９３１という。
【００７５】
次いで、ＣＰＵ１０１は自転コントローラ９８を制御してステッピングモータ５１を駆動制御し、図６（Ｇ）に示すように、自転角度９０度まで検査チップ２を回転させる第一動作を行う（Ｓ８）。この結果、上辺部８１から下辺部８４に向けて、検査チップ２に遠心力Ｘが作用する。遠心力Ｘの作用によって、洗浄液９３１は、ビーズ保持部４１０に移動する。洗浄液９３１によってビーズ３１の１回目の洗浄が行われる。また、検査液体９４は、測定部４３０に移動する。反応停止液９１及び基質溶液９２は、夫々、洗浄液注入部３５０及び検査液体注入部３７０に保持される。
【００７６】
次いで、ＣＰＵ１０１は自転コントローラ９８を制御してステッピングモータ５１を駆動制御し、図６（Ｈ）及び図１２に示すように、自転角度６０度まで検査チップ２を回転させる２回目の第二動作を行う（Ｓ９）。この結果、形成方向の反対方向側から２番目の供給流路２２が延びる方向に垂直な方向に遠心力Ｘが作用する。図１１に示すように、ＣＰＵ１０１が検査チップ２を自転角度６０度まで回転させる過程において、遠心力Ｘが取り出し流路４１２が延びる方向に垂直な方向に作用する。角度Ｒ２３が角度Ｒ２より小さいので、洗浄液９３が供給流路２２からビーズ保持部４１０側の供給部４００に流れる前に、ビーズ保持部４１０に残留している洗浄液９３１が、取り出し流路４１２を通って測定部４３０側の供給部４２０に流れる。
【００７７】
そして、図１２に示すように、供給流路２２が延びる方向に垂直な方向に遠心力Ｘが作用すると、遠心力Ｘの作用によって、洗浄液９３が供給流路２２から供給部４００に流れる。このとき、洗浄液９３は出口仮想線２２９に沿って流れる。出口壁面２２４は出口仮想線２２９よりも受け部２０側である左側に傾斜している。このため、出口壁面２２４が出口仮想線２２９よりも受け部２０側とは反対側の右側に傾斜している場合に比べて、供給流路２２からビーズ保持部４１０側に流れる洗浄液９３が、出口壁面２２４を伝い難い。
【００７８】
また、第一供給壁面２３１は、出口仮想線２２９より受け部２０側である左側に位置する。このため、第一供給壁面２３１が、出口仮想線２２９と交差する場合に比べて、出口仮想線２２９に沿って流れる洗浄液９３が、第一供給壁面２３１に当たり難い。形成方向の反対方向側から３番目の供給流路２３に流入する洗浄液９３の液面９３Ｂは、入口仮想線２３８に沿って第一供給壁面２３１と交差する。このため、供給流路２３から供給部４００に洗浄液９３が流れ難い。また、供給流路２４に流入する洗浄液９３の液面も、第一供給壁面２４１と交差するので、供給流路２４から供給部４００に洗浄液９３が流れ難い。
【００７９】
図３に示す角度Ｒ２０及び図２に示す角度Ｒ４１は、図３に示す角度Ｒ２より大きい。このため、図６（Ｈ）に示すように、検査チップ２が自転角度６０度まで回転し、供給流路２２が延びる方向に垂直な方向に遠心力Ｘが作用しても、反応停止液９１及び基質溶液９２は、夫々、洗浄液注入部３５０及び検査液体注入部３７０に保持される。検査液体９４は、測定部４３０から廃液部４４０に移動する。また、受け部２０には、一部が供給流路２２から供給部４００に移動した後の洗浄液９３が残る。以下の説明では、供給流路２２から供給部４００に移動した洗浄液９３を、洗浄液９３２という。
【００８０】
次いで、ＣＰＵ１０１は自転コントローラ９８を制御してステッピングモータ５１を駆動制御し、図６（Ｉ）に示すように、自転角度９０度まで検査チップ２を回転させる第一動作を行う（Ｓ１０）。この結果、上辺部８１から下辺部８４に向けて、検査チップ２に遠心力Ｘが作用する。遠心力Ｘの作用によって、洗浄液９３２は、ビーズ保持部４１０に移動する。洗浄液９３２によってビーズ３１の２回目の洗浄が行われる。また、洗浄液９３１は、測定部４３０に移動する。反応停止液９１及び基質溶液９２は、夫々、洗浄液注入部３５０及び検査液体注入部３７０に保持される。
【００８１】
次いで、ＣＰＵ１０１は自転コントローラ９８を制御してステッピングモータ５１を駆動制御し、図６（Ｊ）及び図１３に示すように、自転角度７０度まで検査チップ２を回転させる３回目の第二動作を行う（Ｓ１１）。この結果、形成方向の反対方向側から３番目の供給流路２３が延びる方向に垂直な方向に遠心力Ｘが作用する。図１３に示すように、遠心力Ｘの作用によって、洗浄液９３が供給流路２３から供給部４００に流れる。このとき、洗浄液９３は出口仮想線２３９に沿って流れる。出口壁面２３４は出口仮想線２３９よりも受け部２０側である左側に傾斜している。このため、出口壁面２３４が出口仮想線２３９よりも受け部２０側とは反対側の右側に傾斜している場合に比べて、供給流路２３からビーズ保持部４１０側に流れる洗浄液９３が、出口壁面２３４を伝い難い。
【００８２】
また、第一供給壁面２４１は、出口仮想線２３９より受け部２０側である左側に位置する。このため、第一供給壁面２４１が、出口仮想線２３９と交差する場合に比べて、出口仮想線２３９に沿って流れる洗浄液９３が、第一供給壁面２４１に当たり難い。また、形成方向の反対方向側から４番目の供給流路２３に流入する洗浄液９３の液面９３Ｃは、入口仮想線２４８に沿って第一供給壁面２４１と交差する。このため、供給流路２４から供給部４００に洗浄液９３が流れ難い。
【００８３】
図３に示す角度Ｒ２０及び図２に示す角度Ｒ４１は、図３に示す角度Ｒ３より大きい。このため、図６（Ｊ）に示すように、検査チップ２が自転角度７０度まで回転し、供給流路２３が延びる方向に垂直な方向に遠心力Ｘが作用しても、反応停止液９１及び基質溶液９２は、夫々、洗浄液注入部３５０及び検査液体注入部３７０に保持される。角度Ｒ２３が角度Ｒ３より小さいので、洗浄液９３が供給流路２３から供給部４００に流れる前に、ビーズ保持部４１０に残留している洗浄液９３２が、取り出し流路４１２を通って供給部４２０に流れる。洗浄液９３１は、測定部４３０から廃液部４４０に移動する。また、受け部２０には、一部が供給流路２１から供給部４００に移動した後の洗浄液９３が残る。以下の説明では、供給流路２３から供給部４００に移動した洗浄液９３を、洗浄液９３３という。
【００８４】
次いで、ＣＰＵ１０１は自転コントローラ９８を制御してステッピングモータ５１を駆動制御し、図７（Ｋ）に示すように、自転角度９０度まで検査チップ２を回転させる第一動作を行う（Ｓ１２）。この結果、上辺部８１から下辺部８４に向けて、検査チップ２に遠心力Ｘが作用する。遠心力Ｘの作用によって、洗浄液９３３は、ビーズ保持部４１０に移動する。洗浄液９３３によってビーズ３１の３回目の洗浄が行われる。また、洗浄液９３２は、測定部４３０に移動する。反応停止液９１及び基質溶液９２は、夫々、洗浄液注入部３５０及び検査液体注入部３７０に保持される。
【００８５】
次いで、ＣＰＵ１０１は自転コントローラ９８を制御してステッピングモータ５１を駆動制御し、図７（Ｌ）に示すように、自転角度０度まで検査チップ２を回転させる（Ｓ１３）。図１４に示すように、ＣＰＵ１０１が検査チップを自転角度９０度まで回転させる過程において、最も形成方向側の供給流路２４が延びる方向に垂直な方向に遠心力Ｘが作用した場合に、洗浄液９３が供給流路２４から供給部４００に流入する。このとき、洗浄液９３は出口仮想線２４９に沿って流れる。出口壁面２４４は出口仮想線２４９よりも受け部２０側である左側に傾斜している。このため、出口壁面２４４が出口仮想線２４９よりも受け部２０側とは反対側の右側に傾斜している場合に比べて、供給流路２４からビーズ保持部４１０側に流れる洗浄液９３が、出口壁面２４４を伝い難い。また、Ｒ４、Ｒ２０、及び図２に示すＲ４１は同じ角度であるので、反応停止液９１及び基質溶液９２は、夫々、洗浄液注入部３５０及び検査液体注入部３７０から供給部３６０，３８０に流れる。以下の説明では、供給流路２４から供給部４００に移動した洗浄液９３を、洗浄液９３４という。
【００８６】
図７（Ｌ）に示すように、検査チップ２が自転角度９０度まで回転すると、反応停止液９１及び基質溶液９２は、夫々、供給部３６０，３８０に保持される。角度Ｒ２３が角度Ｒ４より小さいので、洗浄液９３が供給流路２３から供給部４００に流れる前に、洗浄液９３３は、取り出し流路４１２を通って、供給部４２０に移動する。洗浄液９３２は、測定部４３０から廃液部４４０に移動する。尚、ＣＰＵ１０１はＳ１３において、供給流路２４が延びる方向に垂直な方向に遠心力Ｘが作用する位置まで検査チップ２を自転させてもよい。
【００８７】
次いで、ＣＰＵ１０１は自転コントローラ９８を制御してステッピングモータ５１を駆動制御し、図７（Ｍ）に示すように、自転角度９０度まで検査チップ２を回転させる（Ｓ１４）。この結果、上辺部８１から下辺部８４に向けて、検査チップ２に遠心力Ｘが作用する。遠心力Ｘの作用によって、洗浄液９３４は、ビーズ保持部４１０に移動する。洗浄液９３４によってビーズ３１の４回目の洗浄が行われる。洗浄液９３３は、測定部４３０に移動する。反応停止液９１及び基質溶液９２は、夫々、供給部３６０，３８０から、検査液体注入部３７０及び受け部２０に流入する。以上のように、ＣＰＵ１０１は、検査チップ２への遠心力Ｘを作用を停止させることなく、ビーズ３１の多段階洗浄を実行する。
【００８８】
次いで、ＣＰＵ１０１は自転コントローラ９８を制御してステッピングモータ５１を駆動制御し、図７（Ｎ）に示すように、自転角度０度まで検査チップ２を回転させる（Ｓ１３）。この結果、左辺部８３から、図２に示す右辺部８２に向けて、検査チップ２に遠心力Ｘが作用する。遠心力Ｘの作用によって、反応停止液９１及び基質溶液９２は、夫々、検査液体注入部３７０及び受け部２０から、供給部３８０，４００に移動する。また、洗浄液９３４は、ビーズ保持部４１０から取り出し流路４１２を介して供給部４２０に移動する。洗浄液９３３は、測定部４３０から廃液部４４０に移動する。
【００８９】
次いで、ＣＰＵ１０１は自転コントローラ９８を制御してステッピングモータ５１を駆動制御し、図７（Ｏ）に示すように、自転角度９０度まで検査チップ２を回転させる（Ｓ１４）。この結果、上辺部８１から下辺部８４に向けて、検査チップ２に遠心力Ｘが作用する。遠心力Ｘの作用によって、基質溶液９２が供給部４００からビーズ保持部４１０に移動する。基質溶液９２は、洗浄液９３によって洗浄された後のビーズ３１に接触し、酵素標識抗体と酵素反応する。また、反応停止液９１及び洗浄液９３４は、夫々、供給部３８０，４２０から受け部２０及び測定部４３０に移動する。
【００９０】
次いで、ＣＰＵ１０１は自転コントローラ９８を制御してステッピングモータ５１を駆動制御し、図８（Ｐ）に示すように、自転角度０度まで検査チップ２を回転させる（Ｓ１５）。この結果、左辺部８３から、図２に示す右辺部８２に向けて、検査チップ２に遠心力Ｘが作用する。遠心力Ｘの作用によって、反応停止液９１は、受け部２０から供給部４００に移動する。基質溶液９２は、取り出し流路４１２を通って供給部４２０に移動する。洗浄液９３４は、測定部４３０から廃液部４４０に移動する。
【００９１】
次いで、ＣＰＵ１０１は自転コントローラ９８を制御してステッピングモータ５１を駆動制御し、図８（Ｑ）に示すように、自転角度９０度まで検査チップ２を回転させる（Ｓ１６）。この結果、上辺部８１から下辺部８４に向けて、検査チップ２に遠心力Ｘが作用する。反応停止液９１は、供給部４００からビーズ保持部４１０に移動する。基質溶液９２は、供給部４２０から測定部４３０に移動する。
【００９２】
次いで、ＣＰＵ１０１は自転コントローラ９８を制御してステッピングモータ５１を駆動制御し、図８（Ｒ）に示すように、自転角度４０度まで検査チップ２を回転させる（Ｓ１７）。この結果、取り出し流路４１２が延びる方向に垂直な方向の遠心力Ｘが検査チップ２に作用する。反応停止液９１は、ビーズ保持部４１０から取り出し流路４１２を介して供給部４２０に移動する。角度Ｒ２４が角度Ｒ２３より大きいので、基質溶液９２は、測定部４３０に保持される。
【００９３】
次いで、ＣＰＵ１０１は自転コントローラ９８を制御してステッピングモータ５１を駆動制御し、図７（Ｓ）に示すように、自転角度９０度まで検査チップ２を回転させる（Ｓ１８）。この結果、上辺部８１から下辺部８４に向けて、検査チップ２に遠心力Ｘが作用する。反応停止液９１は、供給部４２０から測定部４３０に移動する。測定部４３０において基質溶液９２に反応停止液９１が混合され、基質溶液９２の酵素反応の進行が停止する。以下の説明では、反応停止液９１が混合された基質溶液９２を、測定溶液９２１という。
【００９４】
図８には図示しないが、Ｓ１８が実行された後、ＣＰＵ１０１は自転コントローラ９８を制御し、ステッピングモータ５１を駆動する。ＣＰＵ１０１は、自転角度０度まで検査チップ２を回転させる（Ｓ１９）。また、ＣＰＵ１０１は公転コントローラ９７を制御し、主軸モータ３５の回転を停止する（Ｓ１９）。故に、検査チップ２の公転が終了する。遠心処理は終了される。
【００９５】
遠心処理の実行後、ＣＰＵ１０１は公転コントローラ９７を制御し、検査チップ２を測定位置の角度まで回転移動させる。測定流路２５１の測定部４３０には、検査液体９４が使用された測定溶液９２１が保持されている。図示しないが、測定流路２５２〜２５４の測定部４３０には、基準検査液体９４１〜９４３が使用された測定溶液９２１が保持されている。図１に示す測定コントローラ９９は光源７１を発光させ、測定光を測定流路２５１〜２５４の測定部４３０に貯溜された測定溶液９２１に順に透過させる。ＣＰＵ１０１は、光センサ７２が受光した測定光の変化量に基づいて、測定流路２５１〜２５４の測定部４３０に貯溜された測定溶液９２１の光学測定を行い、測定データを取得する。ＣＰＵ１０１は、測定流路２５２〜２５４の測定溶液９２１を用いて取得された測定データと、測定流路２５１の測定溶液９２１を用いて取得された測定データとを比較して、検査液体９４が使用されて生成された測定溶液９２１の測定結果を算出する。ＣＰＵ１０１は、検査結果を図１に示すディスプレイ１０６に表示する。
【００９６】
尚、例えば、検査液体９４が使用された測定溶液９２１のみを用いて測定結果を算出した場合、温度等の外部環境のばらつき、又は、遠心処理における試薬９に移動態様のばらつき等によって、測定結果がばらつく可能性がある。本実施形態では、検査液体９４が使用された測定溶液９２１に基づく測定データと、基準検査液体９４１〜９４３が使用された測定溶液９２１に基づく測定データとの比較によって測定結果が算出されるので、測定結果のばらつきを低減することができる。また、本実施形態では、４か所の測定部４３０に貯留された測定溶液９２１を測定する。この場合、図１に示す光源７１と光センサ７２とが左右方向に移動し、４か所の測定部４３０に順に測定光を透過させてもよいし、４か所の測定部４３０に測定光を透過可能に夫々４つの光源７１と光センサ７２とが左右方向に並べて設けられてもよい。また、測定溶液９２１の測定方法は、光学測定に限られず、他の方法でもよい。
【００９７】
＜７．本実施形態の主たる作用・効果＞
以上のように本実施形態における測定が実行される。本実施形態では、受け部２０に洗浄液９３が流入する。複数の供給流路２００は、形成方向側の供給流路２００ほど、形成方向に対して大きな角度で延びる。ＣＰＵ１０１は、ｎ回目の第二動作を行う場合に、形成方向の反対方向側からｎ番目の供給流路２００が延びる方向に垂直な方向に遠心力を作用させ、形成方向側の反対方向側の供給流路２００から順番に洗浄液９３をビーズ保持部４１０に供給する。このとき、図４のＳ７、Ｓ９、Ｓ１１、Ｓ１２に示すように、検査チップ２の回転角度である振れ幅が、形成方向と形成方向に垂直な垂直方向との間で次第に大きくなる。すなわち、検査チップ２に遠心力を作用させながら、形成方向と形成方向に垂直な垂直方向との間で振れ幅を次第に大きくすることで、形成方向側の反対方向側の供給流路２００から順番に洗浄液９３をビーズ保持部４１０に供給することができる。よって、遠心力の作用を停止することなくビーズ３１の多段階洗浄することができる。故に、遠心力の作用が停止されて試薬９が拡散することがなく、検査精度が低下する可能性を低減できる。
【００９８】
また、図１１に示すように、角度Ｒ２３が角度Ｒ２より小さいので、２回目の洗浄液９３が、形成方向の反対方向側から２番目の供給流路２２からビーズ保持部４１０側に供給される前に、ビーズ保持部４１０に残留している洗浄液９３１が、取り出し流路４１２を通って測定部４３０側に排出される。また、複数の供給流路２００は、形成方向側の供給流路２００ほど、形成方向に対して大きな角度で延びる。このため、角度Ｒ２３が角度Ｒ２より小さい場合、角度Ｒ２３は、形成方向の反対方向側から３番目以降の供給流路２３，２４と形成方向とがなす角度Ｒ３，Ｒ４より小さくなる。このため、３番目以降の供給流路の夫々から洗浄液９３がビーズ保持部４１０側に供給される前に、ビーズ保持部４１０に残留している洗浄液９３が、取り出し流路４１２を通って測定部４３０に排出される。よって、ビーズ保持部４１０の洗浄液９３が排出された後に、新たにビーズ保持部４１０に洗浄液９３を供給し、ビーズ３１の洗浄を多段階に行うことができる。よって、ビーズ３１の洗浄に使用された洗浄液９３と、新たにビーズ保持部４１０に供給される洗浄液９３とが混ざる可能性を低減できる。よって、ビーズ３１の洗浄に使用された洗浄液９３と、新たにビーズ保持部４１０に供給される洗浄液９３とが混ざる場合に比べて、検査精度が低下する可能性を低減できる。
【００９９】
また、図１３に示すように、角度Ｒ２０が角度Ｒ３より大きいので、形成方向側から２番目の供給流路２３から洗浄液９３が流れるまで、基質溶液９２が検査液体注入部３７０に保持される。よって、洗浄液９３と基質溶液９２とが混ざる可能性を低減できる。そして、図１４に示すように、最も形成方向側の供給流路２４から洗浄液９３が流れる時に、検査液体注入部３７０から基質溶液９２が移動する。このため、図７（Ｍ）〜（Ｏ）に示すように、洗浄液９３によってビーズ３１を洗浄し終えた直後に、基質溶液９２をビーズ３１に接触させることができる。よって、洗浄後にビーズ３１が乾く前に、基質溶液９２がビーズ３１に接触する。故に、洗浄後にビーズ３１が乾き、基質溶液９２との反応精度が低下する可能性を低減でき、検査精度が低下する可能性を低減できる。
【０１００】
また、図１０に示すように、形成方向の反対方向側の１番目の供給流路２１が延びる方向に垂直な方向に遠心力Ｘが作用したとき、１番目の供給流路２１から洗浄液９３が流出し始める。このとき、受け部２０内の洗浄液９３の液面９３Ｄが、１番目の供給流路２１と平行に傾く。このため、洗浄液９３の液面９３Ｄと形成方向とがなす角度Ｒ２５が角度Ｒ１と同じになる。角度Ｒ２１が角度Ｒ１より大きいので、洗浄液９３の液面９３Ｄが、角度Ｒ１と平行に傾いても、液面９３Ｄは第一端部４１１よりも形成方向側に位置する。このため、液面が傾いた洗浄液９３が、第一端部４１１から上流側に逆流する可能性を低減できる。よって、洗浄液９３が逆流して、他の試薬９と混ざり、検査精度が低下する可能性を低減できる。
【０１０１】
また、図９に示すように、第一案内面４１に垂直な方向に遠心力Ｘが作用した時に、洗浄液が受け部２０に流入する。角度Ｒ２２が角度Ｒ１より小さいので、角度Ｒ２２が角度Ｒ１以上である場合に比べて、洗浄液９３が受け部２０に流入する時に、形成方向の反対方向側の１番目の供給流路２１から洗浄液９３が下流側に流出する可能性を低減できる。よって、洗浄液９３が検査液体９４に混ざる可能性を低減でき、検査精度が低下する可能性を低減できる。
【０１０２】
また、図１０、図１２、及び図１３に示すように、形成方向の反対方向側からｎ−１番目の供給流路２１，２２，２３が延びる方向に垂直な方向に遠心力Ｘが作用した場合、ｎ−１番目の供給流路２１，２２，２３から洗浄液９３がビーズ保持部４１０側に流れる。このとき、ｎ番目の供給流路２２，２３，２４に流入する洗浄液９３の液面９３Ａ，９３Ｂ，９３Ｃは、夫々、入口仮想線２２８，２３８，２４８に沿って第一供給壁面２２１，２３１，２４１と交差する。故に、入口仮想線２２８，２３８，２４８が第一供給壁面２２１，２３１，２４１と交差しない場合に比べて、ｎ番目の供給流路２２，２３，２４から洗浄液９３がビーズ保持部４１０側に流れ難い。故に、ｎ番目の供給流路２２，２３，２４からビーズ保持部４１０側に洗浄液９３が流れる時に、洗浄液９３が不足する可能性を低減できる。故に、検査精度が低下する可能性を低減できる。
【０１０３】
また、図１０、図１２〜図１４に示すように、供給流路２００を通った洗浄液９３は、供給流路２００が延びる方向と直交する方向に遠心力Ｘが作用した場合に、出口仮想線２１９，２２９，２３９，２４９に沿ってビーズ保持部４１０側に流れる。出口壁面２１４，２２４，２３４，２４４は出口仮想線２１９，２２９，２３９，２４９よりも受け部２０側に傾斜している。このため、出口壁面２１４，２２４，２３４，２４４が出口仮想線２１９，２２９，２３９，２４９よりも受け部２０側とは反対側の右側に傾斜している場合に比べて、供給流路２００からビーズ保持部４１０側に流れる洗浄液９３が、出口壁面２１４，２２４，２３４，２４４を伝い難い。このため、洗浄液９３が出口壁面２１４，２２４，２３４を伝って、形成方向側の供給流路２００に流入し、洗浄液９３が逆流する可能性を低減できる。よって、洗浄液９３が不足することなく、より確実にビーズ３１を洗浄できる。故に、検査精度が低下する可能性を低減できる。
【０１０４】
また、第一供給壁面２２１，２３１，２４１が、夫々、出口仮想線２１９，２２９，２３９と交差する場合に比べて、ｎ−１番目の供給流路２１，２２，２３から出口仮想線２１９，２２９，２３９に沿って流れる洗浄液９３が、ｎ番目の供給流路２２，２３，２４における第一供給壁面２２１，２３１，２４１に当たり難い。このため、ｎ番目の供給流路２２，２３，２４における第一供給壁面２２１，２３１，２４１を洗浄液９３が流れて逆流する可能性を低減できる。よって、洗浄液９３が不足することなく、より確実にビーズ３１を洗浄できる。故に、検査精度が低下する可能性を低減できる。
【０１０５】
上記実施形態において、角度Ｒ２３は本発明の第一角度の一例である。角度Ｒ２は本発明の第二角度の一例である。角度Ｒ２０は本発明の第三角度の一例である。角度Ｒ３は本発明の第四角度の一例である。角度Ｒ２４は本発明の第五角度の一例である。角度Ｒ２１は本発明の第六角度の一例である。角度Ｒ１は本発明の第七角度の一例である。角度Ｒ２２は本発明の第八角度の一例である。測定溶液９２１は本発明の反応液の一例である。
【０１０６】
尚、本発明は上記の実施形態に限定されるものではなく、種々の変更が可能である。例えば、第一供給壁面２２１，２３１，２４１が、夫々、出口仮想線２１９，２２９，２３９と交差してもよい。出口壁面２１４，２２４，２３４，２４４が出口仮想線２１９，２２９，２３９，２４９よりも受け部２０側とは反対側の右側に傾斜してもよい。角度Ｒ２２が角度Ｒ１以上であってもよい。角度Ｒ２１が角度Ｒ１以下でもよい。角度Ｒ２０が角度Ｒ３以下でもよい。角度Ｒ２３が角度Ｒ２以上でもよい。
【０１０７】
また、基質溶液９２が呈色反応する基質溶液である場合、反応停止液９１は検査チップ２に配置されなくてもよい。この場合、検査チップ２に反応停止液注入部３１０が設けられなくてもよい。また、検査液体９４に酵素標識抗体が含まれていたが、検査液体９４に酵素標識抗体を含ませず、酵素標識抗体を含む標識検体液を使用してもよい。この場合、洗浄液注入部３５０と検査液体注入部３７０との間に、標識検体液を注入する標識検体液注入部を設けてもよい。また、図８（Ｒ）及び図８（Ｓ）に示すように、測定部４３０において基質溶液９２に反応停止液９１が混合されていたが、測定部４３０よりも上流側で混合される構成にしてもよい。
【０１０８】
また、角度Ｒ２４が角度Ｒ２３以下でもよい。図５〜図８に示すように、洗浄液９３は、供給流路２００から多段階にビーズ保持部４１０に流れ、取り出し流路４１２を通って多段階に測定部４３０に流れ、廃液流路面４３１を通って多段階に廃液部４４０に流れる。この過程で、洗浄液９３によって、測定部４３０が多段階に洗浄される。角度Ｒ２４が角度Ｒ２３以下である場合、測定部４３０を洗浄した洗浄液９３が廃液部４４０に流れるのと同時、又は、流れた後に、取り出し流路４１２から洗浄液９３が流出する。このため、角度Ｒ２４が角度Ｒ２３より大きい場合に比べて、測定部４３０において、各段階の洗浄液９３が混ざる可能性を低減できる。よって、測定部４３０において各段階の洗浄液９３が混ざる場合に比べて、測定部４３０が洗浄され易くなり、検査精度が低下する可能性を低減できる。
【０１０９】
また、第二動作は、供給流路２００が延びる方向に垂直な方向に遠心力を作用させる動作に限定されない。ＣＰＵ１０１は、ｎ回目の第二動作を行う場合に、遠心力を作用させる方向と形成方向とがなす角度が、ｎ番目の供給流路が延びる方向に垂直な方向と形成方向とがなす角度以上、且つ、ｎ＋１番目の供給流路が延びる方向に垂直な方向と形成方向とがなす角度より小さい範囲になる方向に、遠心力を作用させてもよい。例えば、図６（Ｆ）は、１回目の第二動作を行った場合の検査チップ２と遠心力Ｘとの状態を示している。方向７０１は、１番目の供給流路２１が延びる方向に垂直な方向である。尚、方向７０１は、図６（Ｆ）に示す遠心力Ｘの方向と平行である。方向７０２は、２番目の供給流路２２が延びる方向に垂直な方向である。尚、方向７０２は、図６（Ｈ）に示す遠心力Ｘの方向と平行である。１回目の第二動作を行う場合、方向７０１と形成方向とがなす角度Ｒ３１以上、且つ、方向７０２と形成方向とがなす角度Ｒ３２より小さい範囲となる方向に、遠心力Ｘが作用されればよい。この場合、供給流路２１から供給部４００に洗浄液９３が移動するが、供給流路２２〜２４からは移動しない。本変形例の場合においても、形成方向側の反対方向側の供給流路から順番に洗浄液をビーズ保持部に供給することができる。よって、遠心力の作用を停止することなくビーズを多段階洗浄することができる。故に、遠心力の作用が停止されて試薬が拡散することがなく、検査精度が低下する可能性を低減できる。
【符号の説明】
【０１１０】
１    検査装置
２    検査チップ
３    検査システム
９    試薬
２１，２２，２３，２４，２００    供給流路
３１    ビーズ
４１    第一案内面
４２    第二案内面
９２    基質溶液
９３，９３１，９３２，９３３，９３４    洗浄液
９４    検査液体
９５，９５１    ビーズ分散液
２１１，２２１，２３１，２４１    第一供給壁面
２１２，２２２，２３２，２４２    第二供給壁面
２１３，２２３，２３３，２４３    入口端部
２１３，２２３，２３３，２４３    第一端部
２１４，２２４，２３４，２４４    出口壁面
２１５，２２５，２３５，２４５    出口端部
２１９，２２９，２３９，２４９    出口仮想線
２２８，２３８，２４８    入口仮想線
３３０    基質溶液注入部
３５０    洗浄液注入部
３７０    検査液体注入部
３７１    形成面
３９０    余剰部
４１０    ビーズ保持部
４１１    第一端部
４１２    取り出し流路
４２１    第二端部
４３０    測定部
４３１    廃液流路面
４４０    廃液部
【図１】
0005910657.tif 000002
【図２】
0005910657.tif 000003
【図３】
0005910657.tif 000004
【図４】
0005910657.tif 000005
【図５】
0005910657.tif 000006
【図６】
0005910657.tif 000007
【図７】
0005910657.tif 000008
【図８】
0005910657.tif 000009
【図９】
0005910657.tif 000010
【図１０】
0005910657.tif 000011
【図１１】
0005910657.tif 000012
【図１２】
0005910657.tif 000013
【図１３】
0005910657.tif 000014
【図１４】
0005910657.tif 000015